(57)【要約】【課題】本発明は、測定された生体情報に応じて迅速に対応することのできる生体情報収集システムの提供を目的とする。【解決手段】本発明に係る生体情報収集システム９１は、生体情報入力装置１１と、データベースサーバ１２と、双方向通信装置１３と、を備える。生体情報入力装置１１と双方向通信装置１３とが通信網５１を介して接続されている。又、データベースサーバ１２と双方向通信装置１３とがＬＡＮ５２で接続されており、生体情報、端末の通信アドレスや生体情報入力装置１１の通信アドレス等の生体情報に関する情報をデータベースサーバ１２上で管理し、データベースサーバ１２の記憶内容が更新されると、更新後の最新情報を、予めデータベースサーバ１２に記憶されている通信アドレスに向けて通信網５１を介して自動的に送信することを特徴とする。【選択図】図１
2007282701.tif 000002
【特許請求の範囲】
【請求項１】
生体情報を測定し、通信網を介して生体情報を送信する生体情報入力装置と、
通信網を介して前記生体情報入力装置の送信する生体情報を受信し、受信した生体情報、前記生体情報入力装置の動作を制御する制御情報及び前記生体情報入力装置の通信アドレスを、前記生体情報入力装置の識別情報に対応させて記憶するデータベースサーバと、
前記データベースサーバの記憶する制御情報が更新されると、当該制御情報に対応する前記生体情報入力装置の識別情報と同一の識別情報に対応する前記生体情報入力装置の通信アドレスを抽出し、更新された最新の制御情報を、抽出する前記生体情報入力装置の通信アドレスへ向けて通信網を介して送信する双方向通信装置と、を備える生体情報収集システムであって、
前記生体情報入力装置は、前記双方向通信装置の送信する制御情報に従って生体情報を測定し、測定した生体情報を前記データベースサーバへ通信網を介して送信することを特徴とする生体情報収集システム。
【請求項２】
前記通信網は公衆網であって、
前記データベースサーバは、前記生体情報入力装置の電話番号を前記生体情報入力装置の識別情報に対応させてさらに記憶し、
前記双方向通信装置は、前記データベースサーバの記憶する制御情報が更新されると、当該制御情報に対応する前記生体情報入力装置の識別情報と同一の識別情報に対応する前記生体情報入力装置の電話番号をさらに抽出し、抽出する前記生体情報入力装置の電話番号をダイアルアップし、前記生体情報入力装置との回線を開通させ、更新された最新の制御情報を、前記生体情報入力装置の通信アドレスへ向けて送信することを特徴とする請求項１に記載の生体情報収集システム。
【請求項３】
前記データベースサーバに記憶されている生体情報及び制御情報を通信網を介して読み出して表示し、前記データベースサーバに記憶されている制御情報を更新する端末装置をさらに備え、
前記データベースサーバは、前記端末装置の通信アドレスを前記生体情報入力装置の識別情報に対応させてさらに記憶し、
前記双方向通信装置は、前記データベースサーバに記憶されている制御情報が更新されると、当該制御情報に対応する前記生体情報入力装置の識別情報と同一の識別情報に対応する前記端末装置の通信アドレスをさらに抽出し、更新された最新の制御情報を、抽出する前記端末装置の通信アドレスへ向けてさらに送信することを特徴とする請求項１又は２に記載の生体情報収集システム。
【請求項４】
前記データベースサーバは、さらに、前記端末装置の通信アドレスごとに予め定められた前記生体情報入力装置の生体情報及び制御情報を前記端末装置に読み出させることを特徴とする請求項３に記載の生体情報収集システム。
【請求項５】
前記データベースサーバは、記憶している前記生体情報入力装置の制御情報の更新時刻が所定時間内であるか否かを前記所定時間ごとに判定し、
前記データベースサーバが制御情報の更新時刻が所定時間内であると判定すると、前記双方向通信装置は、最新の制御情報を前記生体情報入力装置へ通信網を介して送信することを特徴とする請求項１から４に記載のいずれかの生体情報収集システム。
【請求項６】
前記データベースサーバは、記憶している生体情報の更新時刻が所定時間内であるか否かを定期的に判定し、
前記データベースサーバが生体情報の更新時刻が所定時間内でないと判定すると、前記双方向通信装置は、前記生体情報入力装置の通信アドレスへ向けて前記生体情報入力装置の制御情報を通信網を介して送信し、前記生体情報入力装置に最新の生体情報を通信網を介して前記データベースサーバへ送信させることを特徴とする請求項１から５に記載のいずれかの生体情報収集システム。
【請求項７】
前記生体情報入力装置は、測定した生体情報があらかじめ定められた数値範囲外であることを異常値と判定する生体情報判定部と、
前記生体情報判定部が異常値と判定すると、注意を促す旨のアラーム情報を、前記データベースサーバへ通信網を介して送信するアラーム情報送信部と、をさらに備え、
前記データベースサーバは、前記アラーム情報送信部の送信するアラーム情報を前記生体情報入力装置の識別情報に対応させてさらに記憶し、
前記双方向通信装置は、前記データベースサーバがアラーム情報を記憶すると、当該アラーム情報を送信する前記生体情報入力装置の識別情報に対応する前記端末装置の通信アドレスへ向けて通信網を介してさらに送信することを特徴とする請求項１から６に記載のいずれかの生体情報収集システム。
【請求項８】
前記生体情報入力装置は、機械的な変化を検出するアラームスイッチをさらに備え、
前記アラーム情報送信部は、前記アラームスイッチが機械的な変化を検出すると、アラーム情報を、前記データベースサーバへ通信網を介してさらに送信することを特徴とする請求項７に記載の生体情報収集システム。
【請求項９】
前記データベースサーバに記憶されている生体情報が予め定められた数値範囲外であるか否かを判定する解析サーバをさらに備え、
前記双方向通信装置は、前記解析サーバの判定結果を通知する解析通知情報を、前記解析サーバの解析する生体情報の前記生体情報入力装置の識別情報に対応する前記端末装置の通信アドレスへ向けて通信網を介してさらに送信することを特徴とする請求項３から８に記載のいずれかの生体情報収集システム。
【請求項１０】
前記解析通知情報は、前記解析サーバが数値範囲外であると判定した旨又は前記解析サーバが数値範囲内であると判定した旨であることを特徴とする請求項９に記載の生体情報収集システム。
【請求項１１】
前記双方向通信装置は、前記解析サーバの判定結果を通知する解析通知情報を、前記解析サーバの解析する生体情報の前記生体情報入力装置の識別情報に対応する前記生体情報入力装置の通信アドレスへ向けて通信網を介してさらに送信し、
前記生体情報入力装置は、前記双方向通信装置の送信する解析通知情報を表示する解析通知情報表示部をさらに備えることを特徴とする請求項９又は１０に記載の生体情報収集システム。
【請求項１２】
複数の前記データベースサーバと、
前記複数のデータベースサーバのそれぞれの通信アドレスと前記生体情報入力装置の通信アドレス又は識別情報とを対応させて記憶する管理サーバと、をさらに備え、
前記双方向通信装置は、前記生体情報入力装置の送信する生体情報を通信網を介して受信すると、前記管理サーバを参照し、受信した前記生体情報入力装置の通信アドレスに対応する識別情報に対応する前記データベースサーバの通信アドレス又は受信した識別情報に対応する前記データベースサーバの通信アドレスを抽出し、抽出した通信アドレスの前記データベースサーバに受信した生体情報を記憶させることを特徴とする請求項１から１１に記載のいずれかの生体情報収集システム。
【請求項１３】
前記生体情報入力装置の送信する生体情報を前記双方向通信装置が通信網を介して受信すると、識別情報とパスワードを前記生体情報入力装置へ問い合わせ、前記生体情報入力装置から受信した識別情報及びパスワードが互いに対応して前記データベースサーバに記憶されていることを生体情報認証として判定する認証サーバをさらに備え、
前記双方向通信装置は、前記認証サーバが生体情報認証と判定すると、受信した生体情報を前記データベースサーバに生体情報を記憶させることを特徴とする請求項１から１２に記載のいずれかの生体情報収集システム。
【請求項１４】
前記生体情報入力装置は、前記双方向通信装置の送信する制御情報を表示する制御情報表示部をさらに備えることを特徴とする請求項１から１３に記載のいずれかの生体情報収集システム。
【請求項１５】
前記生体情報入力装置は、測定した生体情報を定期的に前記データベースサーバへ通信網を介して送信することを特徴とする請求項１から１４に記載のいずれかの生体情報収集システム。
【請求項１６】
前記生体情報入力装置の生体情報を共通の通信アドレスを用いて送信する中継装置をさらに備え、
複数の前記生体情報入力装置は前記中継装置の通信アドレスを共有し、
前記データベースサーバは、前記中継装置の通信アドレスを複数の前記生体情報入力装置の識別情報に対応させて記憶し、
前記双方向通信装置は、前記中継装置の通信アドレスへ向けて通信網を介して送信することを特徴とする請求項１から１５に記載のいずれかの生体情報収集システム。
【請求項１７】
前記端末装置は、電子メール、ポケットベル、携帯電話、パーソナルコンピュータ、ファクシミリ又は固定電話の少なくとも２以上の通信機能を備え、
前記双方向通信装置は、送受信する情報に応じて異なる通信機能を用いることを特徴とする請求項１から１６に記載のいずれかの生体情報収集システム。
【請求項１８】
前記公衆網は、電話網、ＤｏＰａ（登録商標）網、インターネット又はＩＰ網であることを特徴とする請求項１から１６に記載のいずれかの生体情報収集システム。
【請求項１９】
前記生体情報は、血圧、脳波、脈波、心電、呼吸、尿、血糖又は汗に関する情報であることを特徴とする請求項１から１８に記載のいずれかの生体情報収集システム。
【発明の詳細な説明】
【技術分野】
【０００１】
本発明は、通信網を介して血圧等の生体情報を管理する生体情報収集システムに関する。
【背景技術】
【０００２】
高齢化が進み、成人の生活習慣病への対応が社会的に大きな課題となっている。特に高血圧値に関連する疾患の場合、長期の血圧値の収集が非常に重要である点が認識されている。このような観点から、血圧値を始めとして、脈拍、脈波、心電、体温又は動脈血酸素飽和度等の生体情報の継続的な測定が求められている。
【０００３】
医者用端末と患者用端末との間で医療情報や生体情報の更新を、インターネットを用いて行う健康診断ネットワークが開発されている（例えば、特許文献１参照。）。このシステムでは、患者用端末と医者用端末の双方からの情報をデータベースサーバに蓄積し、双方の端末がデータベースサーバに蓄積された情報を閲覧する構成が採られている。
【０００４】
【特許文献１】特開２００２−８３０６６号公報
【発明の開示】
【発明が解決しようとする課題】
【０００５】
従来では、異常な測定値の生体情報が測定されても、医者や看護婦がその測定値が記録されているデータベースサーバにアクセスしなければ、生体情報の測定値を知ることはできなかった。そのため、測定された生体情報の測定値が異常であっても迅速に対応することができなかった。
【０００６】
よって、本発明は、測定された生体情報に応じて迅速に対応することのできる生体情報収集システムの提供を目的とする。
【課題を解決するための手段】
【０００７】
上記課題を解決するために、本発明は、生体情報に関する情報をデータベース上で管理し、データベースサーバの記憶内容が更新されると、更新後の最新情報を、予めデータベースサーバに記憶されている通信アドレスに向けて通信網を介して自動的に送信することを特徴とする。
【０００８】
具体的には、本発明に係る生体情報収集システムは、生体情報を測定し、通信網を介して生体情報を送信する生体情報入力装置と、通信網を介して前記生体情報入力装置の送信する生体情報を受信し、受信した生体情報、前記生体情報入力装置の動作を制御する制御情報及び前記生体情報入力装置の通信アドレスを、前記生体情報入力装置の識別情報に対応させて記憶するデータベースサーバと、前記データベースサーバの記憶する制御情報が更新されると、当該制御情報に対応する前記生体情報入力装置の識別情報と同一の識別情報に対応する前記生体情報入力装置の通信アドレスを抽出し、更新された最新の制御情報を、抽出する前記生体情報入力装置の通信アドレスへ向けて通信網を介して送信する双方向通信装置と、を備える生体情報収集システムであって、前記生体情報入力装置は、前記双方向通信装置の送信する制御情報に従って生体情報を測定し、測定した生体情報を前記データベースサーバへ通信網を介して送信することを特徴とする。
【０００９】
生体情報入力装置が測定した生体情報及び制御情報をデータベースサーバが記憶するので、遠隔地からデータベースサーバにアクセスし、データベースサーバに記憶されている生体情報に応じて制御情報を変更することができる。データベースサーバの記憶情報を更新すれば、双方向通信装置が変更後の制御情報を自動的に生体情報入力装置へ送信するので、生体情報を測定値に応じた生体情報入力装置の設定に迅速に変更することができる。これにより、測定された生体情報に応じて迅速に対応することのできる生体情報収集システムを提供することができる。
【００１０】
前記通信網は公衆網であって、前記データベースサーバは、前記生体情報入力装置の電話番号を前記生体情報入力装置の識別情報に対応させてさらに記憶し、前記双方向通信装置は、前記データベースサーバの記憶する制御情報が更新されると、当該制御情報に対応する前記生体情報入力装置の識別情報と同一の識別情報に対応する前記生体情報入力装置の電話番号をさらに抽出し、抽出する前記生体情報入力装置の電話番号をダイアルアップし、前記生体情報入力装置との回線を開通させ、更新された最新の制御情報を、前記生体情報入力装置の通信アドレスへ向けて送信することが好ましい。
【００１１】
双方向通信装置が制御情報を送信する際にダイアルアップするので、電話回線の回線接続をする必要のある場合であっても、双方向通信装置は自動的に制御情報を生体情報入力装置へ送信することができる。
【００１２】
前記データベースサーバに記憶されている生体情報及び制御情報を通信網を介して読み出して表示し、前記データベースサーバに記憶されている制御情報を更新する端末装置をさらに備え、前記データベースサーバは、前記端末装置の通信アドレスを前記生体情報入力装置の識別情報に対応させてさらに記憶し、前記双方向通信装置は、前記データベースサーバに記憶されている制御情報が更新されると、当該制御情報に対応する前記生体情報入力装置の識別情報と同一の識別情報に対応する前記端末装置の通信アドレスをさらに抽出し、更新された最新の制御情報を、抽出する前記端末装置の通信アドレスへ向けてさらに送信することが好ましい。
【００１３】
データベースサーバに記憶されている制御情報を更新すると自動的に生体情報入力装置へ更新後の制御情報が送信されるので、端末装置は、遠隔地から生体情報入力装置の制御情報を変更することができる。
【００１４】
前記データベースサーバは、さらに、前記端末装置の通信アドレスごとに予め定められた前記生体情報入力装置の生体情報及び制御情報を前記端末装置に読み出させることが好ましい。
【００１５】
データベースサーバが端末装置の通信アドレスに応じて読み出すことのできる情報を選択するので、端末装置が医師、被検者又はデータベース管理者のいずれが用いるものであるかによって閲覧及び変更を制限することができる。
【００１６】
前記データベースサーバは、記憶している前記生体情報入力装置の制御情報の更新時刻が所定時間内であるか否かを前記所定時間ごとに判定し、前記データベースサーバが制御情報の更新時刻が所定時間内であると判定すると、前記双方向通信装置は、最新の制御情報を前記生体情報入力装置へ通信網を介して送信することが好ましい。
【００１７】
双方向通信装置が所定時間内に更新された制御情報を当該所定時間ごとに生体情報入力装置に送信する。これにより、生体情報入力装置は、所定時間内に更新された最新の制御情報を用いて生体情報を測定することができる。
【００１８】
前記データベースサーバは、記憶している生体情報の更新時刻が所定時間内であるか否かを定期的に判定し、前記データベースサーバが生体情報の更新時刻が所定時間内でないと判定すると、前記双方向通信装置は、前記生体情報入力装置の通信アドレスへ向けて前記生体情報入力装置の制御情報を通信網を介して送信し、前記生体情報入力装置に最新の生体情報を通信網を介して前記データベースサーバへ送信させることが好ましい。
【００１９】
データベースサーバが所定時間内に測定された生体情報が記憶されているか否かを判定し、双方向通信装置が生体情報入力装置から取得した最新の生体情報をデータベースサーバへ向けて送信させるので、生体情報入力装置からデータベースサーバへの送信に失敗した場合でも、最新の生体情報を生体情報入力装置から取得することができる。
【００２０】
前記生体情報入力装置は、測定した生体情報があらかじめ定められた数値範囲外であることを異常値と判定する生体情報判定部と、前記生体情報判定部が異常値と判定すると、注意を促す旨のアラーム情報を、前記データベースサーバへ通信網を介して送信するアラーム情報送信部と、をさらに備え、前記データベースサーバは、前記アラーム情報送信部の送信するアラーム情報を前記生体情報入力装置の識別情報に対応させてさらに記憶し、前記双方向通信装置は、前記データベースサーバがアラーム情報を記憶すると、当該アラーム情報を送信する前記生体情報入力装置の識別情報に対応する前記端末装置の通信アドレスへ向けて通信網を介してさらに送信することが好ましい。
【００２１】
生体情報入力装置が生体情報判定部を備えるので、異常な数値が測定された場合に、生体情報とアラーム情報をデータベースサーバへ送信することができる。生体情報入力装置で異常か否かを判定するので、被検者自身が迅速に対応することができると共に、データベースサーバの負担を軽減することができる。又、データベースサーバがアラーム情報を通信網を介して受信すると、自動的に双方向通信装置がアラーム情報を端末装置に送信するので、異常な数値が測定されたことを、被検者とは離れた位置にある端末装置へ迅速に通知することができる。
【００２２】
前記生体情報入力装置は、機械的な変化を検出するアラームスイッチをさらに備え、前記アラーム情報送信部は、前記アラームスイッチが機械的な変化を検出すると、アラーム情報を、前記データベースサーバへ通信網を介してさらに送信することが好ましい。
【００２３】
生体情報入力装置がアラームスイッチをさらに備えるので、生体情報の測定値に関係なく、被検者は、アラームスイッチを入力することで、注意を促す旨のアラーム情報をデータベースサーバへ入力することができる。これにより、被検者とは離れた位置にある端末装置へアラーム情報を迅速に通知することができる。
【００２４】
前記データベースサーバに記憶されている生体情報が予め定められた数値範囲外であるか否かを判定する解析サーバをさらに備え、前記双方向通信装置は、前記解析サーバの判定結果を通知する解析通知情報を、前記解析サーバの解析する生体情報の前記生体情報入力装置の識別情報に対応する前記端末装置の通信アドレスへ向けて通信網を介してさらに送信することが好ましい。
【００２５】
解析サーバがデータベースサーバに記憶されている生体情報が正常な値であるか異常な値であるかを判定し、判定結果を自動的に端末装置へ通知することができる。
【００２６】
前記解析通知情報は、前記解析サーバが数値範囲外であると判定した旨又は前記解析サーバが数値範囲内であると判定した旨であることが好ましい。
【００２７】
解析通知情報が、予め定められた数値範囲内であるか又は予め定められた数値範囲外であるかであれば、生体情報が正常な値であるか異常な値であるかを通知することができる。
【００２８】
前記双方向通信装置は、前記解析サーバの判定結果を通知する解析通知情報を、前記解析サーバの解析する生体情報の前記生体情報入力装置の識別情報に対応する前記生体情報入力装置の通信アドレスへ向けて通信網を介してさらに送信し、前記生体情報入力装置は、前記双方向通信装置の送信する解析通知情報を表示する解析通知情報表示部をさらに備えることが好ましい。
【００２９】
解析通知情報をさらに生体情報入力装置に送信するので、解析サーバの解析結果を被検者は迅速に取得することができる。さらに、生体情報入力装置が解析通知情報を表示するので、被検者は迅速に解析結果を確認することができる。
【００３０】
複数の前記データベースサーバと、前記複数のデータベースサーバのそれぞれの通信アドレスと前記生体情報入力装置の通信アドレス又は識別情報とを対応させて記憶する管理サーバと、をさらに備え、前記双方向通信装置は、前記生体情報入力装置の送信する生体情報を通信網を介して受信すると、前記管理サーバを参照し、受信した前記生体情報入力装置の通信アドレスに対応する識別情報に対応する前記データベースサーバの通信アドレス又は受信した識別情報に対応する前記データベースサーバの通信アドレスを抽出し、抽出した通信アドレスの前記データベースサーバに受信した生体情報を記憶させることが好ましい。
【００３１】
管理サーバを設けることで、データベースサーバを複数に分散することができる。これにより、データベースサーバの増設を容易にすることができる。
【００３２】
前記生体情報入力装置の送信する生体情報を前記双方向通信装置が通信網を介して受信すると、識別情報とパスワードを前記生体情報入力装置へ問い合わせ、前記生体情報入力装置から受信した識別情報及びパスワードが互いに対応して前記データベースサーバに記憶されていることを生体情報認証として判定する認証サーバをさらに備え、前記双方向通信装置は、前記認証サーバが生体情報認証と判定すると、受信した生体情報を前記データベースサーバに生体情報を記憶させることが好ましい。
【００３３】
認証サーバが双方向通信装置の受信した生体情報の送信元の通信アドレスに関連付けて記憶されている識別情報及びパスワードが入力された識別情報及びパスワードと一致することを確認したうえで、双方向通信装置がデータベースサーバへ生体情報を記憶させるので、識別情報を知る被検者から送信された生体情報以外の生体情報がデータベースサーバに記憶されるのを防ぐことができる。
【００３４】
前記生体情報入力装置は、前記双方向通信装置の送信する制御情報を表示する制御情報表示部をさらに備えることが好ましい。
【００３５】
制御情報表示部が双方向通信装置の送信する制御情報を表示するので、どのような制御情報を用いて生体情報入力装置が生体情報を測定するのかを被検者に表示することができる。
【００３６】
前記生体情報入力装置は、測定した生体情報を定期的に前記データベースサーバへ通信網を介して送信することが好ましい。
【００３７】
生体情報入力装置が定期的に生体情報をデータベースサーバへ送信するので、生体情報入力装置が頻繁に生体情報を測定する場合に、生体情報を効率よくデータベースサーバへ送信することができる。また、データベースサーバの記憶する内容を定期的に更新することができる。又、生体情報が頻繁に送信されないので、生体情報が盗聴される危険性を減少させることができる。
【００３８】
前記生体情報入力装置の生体情報を共通の通信アドレスを用いて送信する中継装置をさらに備え、複数の前記生体情報入力装置は前記中継装置の通信アドレスを共有し、前記データベースサーバは、前記中継装置の通信アドレスを複数の前記生体情報入力装置の識別情報に対応させて記憶し、前記双方向通信装置は、前記中継装置の通信アドレスへ向けて通信網を介して送信することが好ましい。
【００３９】
中継装置が複数の生体情報入力装置へ制御情報を分配するので、同一の被検者が複数の生体情報入力装置を装着する場合に、複数の生体情報入力装置へ制御情報をまとめて送信することができる。
【００４０】
本発明に係る生体情報収集システムでは、前記端末装置は、電子メール、ポケットベル、携帯電話、パーソナルコンピュータ、ファクシミリ又は固定電話の少なくとも２以上の通信機能を備え、前記双方向通信装置は、送受信する情報に応じて異なる通信機能を用いることが好ましい。端末装置が２以上の通信機能を備えることで、アラームや解析通知情報などの送受信する内容に応じて使い分けることができる。また、異なる通信機能による多ルート化を行うことができるので、緊急時においてより早くまた確実に送受信を行うことができる。
【００４１】
本発明に係る生体情報収集システムでは、前記公衆網は、電話網、ＤｏＰａ（登録商標）網、インターネット又はＩＰ網であることが好ましい。公衆網を電話網とすることで、山間の電波の届きにくい地域や、通信設備の十分でない地域においても本発明に係る生体情報収集システムを提供することが可能となる。また、公衆網がＤｏＰａ網であれば、移動可能な端末装置と通信を行うことができるので、関係者に迅速に通知することができる。また、公衆網がインターネット又はＩＰ網であれば、端末装置や生体情報入力装置を複数にするなど生体情報収集システムの設計を自在に構築することが簡単にできる。また、伝送容量の大きな情報であっても送受信することができるので、緊急時における対処方法を説明する映像や、詳細な説明を公開しているサイトにリンクされている文書を端末装置に提供することができる。
【００４２】
本発明に係る生体情報収集システムでは、前記生体情報は、血圧、脳波、脈波、心電、呼吸、尿、血糖又は汗に関する情報であることが好ましい。血圧、脳波、脈波、心電、呼吸、尿、血糖又は汗を測定することで、患者の様態を数値によって判断することができる。このため様態を常時監視することが必要な患者であっても、必要最小限の情報の収集によって患者の様態を把握することができる。
【発明の効果】
【００４３】
本発明により、データベースサーバの記憶内容が更新されると、予め定められた通信アドレスへ向けて更新内容に応じた情報を自動的に送信するので、測定された生体情報に応じて迅速に対応することのできる生体情報収集システムを提供することができる。さらに、生体情報に関する情報をデータベースサーバ上で一元管理できるので、情報の錯綜を防止することができる。
【発明を実施するための最良の形態】
【００４４】
添付の図面を参照して本発明の実施の形態を説明する。以下に説明する実施の形態は本発明の構成の例であり、本発明は、以下の実施の形態に制限されるものではない。
【００４５】
図１は、本実施形態に係る生体情報収集システムの第１例を示す構成図である。図１に示す生体情報収集システム９１は、生体情報入力装置１１と、データベースサーバ１２と、双方向通信装置１３と、を備える。生体情報入力装置１１と双方向通信装置１３とが通信網５１を介して接続されている。又、データベースサーバ１２と双方向通信装置１３とがＬＡＮ（Ｌｏｃａｌ  Ａｒｅａ  Ｎｅｔｗｏｒｋ）５２で接続されている。
【００４６】
生体情報収集システム９１は、さらに、生体情報測定装置１１及び双方向通信装置１３と通信網５１を介して接続される端末装置１４Ａ、１４Ｂをさらに備えていてもよい。又、生体情報収集システム９１は、ＬＡＮ５２内に、解析サーバ３１と、管理サーバ３２と、認証サーバ３３と、管理者用端末装置３４がさらに接続されていてもよい。生体情報収集システム９１は、本実施形態において、端末装置１４Ａは生体情報測定装置１１を装着する被検者の使用する端末装置とし、端末装置１４Ｂは病院において医師の使用する端末装置とする。
【００４７】
ここで、通信網５１は、生体情報入力装置１１と、双方向通信装置１３と、端末装置１４Ａ、１４Ｂとの間を互いに通信接続する情報伝達経路である。情報伝達経路としては、例えば、電話網、ＤｏＰａ（登録商標）網、インターネット又はＩＰ（Ｉｎｔｅｒｎｅｔ  Ｐｒｏｔｏｃｏｌ）網がある。ＤｏＰａ（登録商標）とは、パケット通信方式を採用したデジタル携帯電話のデータ通信サービスである。通信網５１は、公衆網であってもよい。公衆網とは、加入電話回線ネットワークである。
【００４８】
通信網５１は、生体情報入力装置１１と、双方向通信装置１３と、端末装置１４Ａ、１４Ｂとの間で送受信する信号を伝送する。伝送する信号は、例えば、生体情報１又は制御情報２等の情報内容を含む。情報内容は、生体情報入力装置の通信アドレス３、生体情報入力装置の識別情報４、生体情報入力装置の電話番号５、アラーム情報６、解析通知情報７であってもよい。図１では、伝送する信号ではなく、伝送される情報内容を例示した。
【００４９】
ＬＡＮ５２は、例えば、データベースサーバ１２の設置されるデータセンタ５３内に構築されているＬＡＮである。通信網５１は、双方向通信装置１３とデータベースサーバ１２との間で送受信する信号を伝送する。伝送する信号は、例えば、生体情報１又は制御情報２等の情報内容を含む。情報内容は、生体情報入力装置の通信アドレス３、生体情報入力装置の識別情報４、生体情報入力装置の電話番号５、アラーム情報６、解析通知情報７、端末装置の通信アドレス８又は中継装置の通信アドレス６１であってもよい。図１では、伝送する信号ではなく、伝送される情報内容を例示した。
【００５０】
生体情報入力装置１１は、生体情報１を測定するものである。例えば、生体情報１が血圧であれば、血圧を測定する血圧計である。生体情報１としては、血圧だけでなく、脳波、脈波、心電、呼吸、尿、血糖又は汗に関する情報とすることができる。生体情報入力装置１１の測定する生体情報１は１種のみに限らず、血圧、脈拍数、呼吸、脳波、血糖又は汗に関する情報のいずれか２以上の組み合わせであってもよい。
【００５１】
図２は、生体情報入力装置の一例を示す構成図である。図２に示す生体情報入力装置１１は、生体情報測定部２８と、送受信部２７と、を備える。生体情報入力装置１１は、さらに、生体情報判定部２１と、アラーム情報送信部２２と、アラームスイッチ２３と、解析通知情報表示部２５と、制御情報表示部２６と、識別情報及びパスワード入力部２９とを備えていてもよい。
【００５２】
生体情報測定部２８は、生体情報１を測定するものである。例えば、生体情報１が血圧であれば、脈波を検出する光電センサを備え、光電センサの検出する脈波から血圧を算出することによって血圧を測定するものである。さらに、測定した生体情報１を記憶することが好ましい。生体情報測定部２８は、生体情報１と制御情報２とを対応させて記憶してもよい。生体情報測定部２８は、生体情報入力装置１１に備わるメモリーに生体情報１を記憶してもよい。
【００５３】
さらに、生体情報測定部２８は、図１に示す双方向通信装置１３の送信する制御情報２に従って生体情報１を測定する。例えば、生体情報測定部２８は、記憶している制御情報２を送受信部２７から入力された新たな制御情報２に更新し、新たな制御情報２に従って生体情報１を測定する。ここで、制御情報２は、例えば、生体情報入力装置１１の測定する生体情報１が血圧であれば、被検者を圧迫する際の最大の圧力とすることができる。又、血圧を測定する時間間隔であってもよい。制御情報２は生体情報１を測定する際に用いる情報に限定するものではなく、生体情報入力装置１１の動作全般について指示する情報とすることもできる。例えば、制御情報２は、生体情報入力装置１１に記憶されている生体情報１をデータベースサーバ１２へ送信させる旨であってもよい。又、制御情報２は、制御情報表示部２６に識別情報とパスワードを入力するよう表示する旨であってもよい。
【００５４】
送受信部２７は、図１に示す通信アドレス３を固有のアドレスに用いて通信網５１を介して送受信するものである。例えば、送受信部２７は、生体情報１を、データベースサーバ１２へ、通信網５１を介して送信するものである。さらに、送受信部２７は、図１に示す双方向通信装置１３の送信する御情情報２を、通信網５１を介して受信するものである。生体情報入力装置１１がアラーム情報送信部２２を備える場合、送受信部２７はアラーム情報６を送信するものとすることができる。又、図１に示す生体情報収集システム９１が解析サーバ３１を備える場合、送受信部２７は、双方向通信装置１３の送信する解析通知情報７を受信するものとすることができる。
【００５５】
送受信部２７としては、例えば、無線信号を用いてインターネットに接続する無線ＬＡＮ装置を用いることができる。送受信部２７は、有線信号を送受信するものであってもよいし、無線信号を送受信するものであってもよい。生体情報入力装置１１が被検者に常時装着される場合には、送受信部２７は無線信号を送受信するものであることが好ましい。又、通信網５１が公衆網である場合は、送受信部２７は、図１に示す双方向通信装置１３の電話番号をダイアルアップし、双方向通信装置１３との回線を開通させ、制御情報２を送信することが好ましい。例えば、ダイアルアップルータを用いることができる。
【００５６】
生体情報入力装置１１は、測定した生体情報１を所定時間ごとに図１に示すデータベースサーバ１２へ通信網５１を介して送信することが好ましい。例えば、送受信部２７は、定期的に生体情報測定部２８に記憶されている生体情報１を図１に示すデータベースサーバ１２へ送信することが好ましい。所定時間は、あらかじめ定められた時間である。この所定時間が制御情報２として図１に示すデータベースサーバ１２に記憶されている場合は、データベースサーバ１２に記憶されている制御情報２を変更することで、所定時間を変更することができる。送信する生体情報１は、例えば、最新の生体情報１である。送信する生体情報１は、最新のものに限定されるものではなく、所定時間内に測定された生体情報１のすべてとしてもよい。このように、生体情報入力装置１１が所定時間ごとに生体情報１を図１に示すデータベースサーバ１２へ送信すれば、データベースサーバ１２の記憶する生体情報１を所定時間ごとに更新することができる。
【００５７】
以上、生体情報入力装置１１が送受信部２７と生体情報測定部２８を備えれば、図１に示す双方向通信装置１３の送信する制御情報２を送受信部２７が受信し、受信した制御情報２を用いて生体情報測定部２８が生体情報１を測定し、生体情報測定部２８の測定した生体情報１を送受信部２７がデータベースサーバ１２へ送信することができる。
【００５８】
図２に示す生体情報入力装置１１は生体情報判定部２１をさらに備えることが好ましい。生体情報判定部２１は、測定した生体情報１があらかじめ定められた数値範囲外であることを異常値と判定するものである。例えば、生体情報判定部２１は、生体情報１を記憶する生体情報測定部２８から最新の生体情報１を取得し、取得する生体情報１があらかじめ定められた数値の範囲内か範囲外かを判定し、範囲外であれば異常値と判定する。ここで、取得する生体情報１は、最新のものに限定しない。例えば、送受信部２７で説明した所定時間の間に測定された生体情報１について取得し、それぞれについて判定してもよい。又、判定する数値が２種以上であってもよい。例えば、血圧及び脈拍数についてそれぞれ判定してもよい。
【００５９】
生体情報判定部２１は、異常値であると判定すると、アラーム情報送信部２２にアラーム情報６を出力する。アラーム情報６は、例えば、異常値と判定した生体情報１の数値を含むことが好ましい。判定する値が複数である場合には、生体情報判定部２１が複数となってもよい。例えば、血圧と脈拍数のそれぞれについて、生体情報判定部２１を設けてもよい。生体情報判定部２１としては、生体情報測定装置１１に備わる中央処理装置（ＣＰＵ）を用いることができる。
【００６０】
生体情報入力装置１１はアラームスイッチ２３をさらに備えることが好ましい。アラームスイッチ２３は、機械的な変化を検出するものである。機械的な変化を検出するものとしては、例えば、ボタンを押すと信号を出力する押ボタンスイッチを用いることができる。アラームスイッチ２３は、機械的な変化を検出すると、アラーム情報送信部２２にアラーム情報６を出力する。アラーム情報６は、例えば、アラームスイッチ２３が押されたことを通知する情報である。これにより、緊急を要するとき、被検者がアラームスイッチ２３を押下すれば、緊急を要する旨の通知をアラーム情報６を用いてデータセンタ５３に設置されているデータベースサーバ１２へ送信することができる。
【００６１】
生体情報入力装置１１はアラーム情報送信部２２をさらに備えることが好ましい。アラーム情報送信部２２は、アラーム情報６を、図１に示すデータベースサーバ１２へ通信網５１を介して送信する。アラーム情報送信部２２は、前述の送受信部２７と同様のものを用いることができる。又、アラーム情報送信部２２は、送受信部２７を用いてもよい。
【００６２】
患者がアラームスイッチ２３を入力することで、生体情報入力装置１１はアラーム情報６をデータベースサーバ１２へ入力することができる。これにより、生体情報入力装置１１を装着している被検者とは離れた位置にある図１に示す端末装置１４Ａ、１４Ｂへアラーム情報６を迅速に通知することができる。
【００６３】
生体情報入力装置１１は解析通知情報表示部２５をさらに備えることが好ましい。解析通知情報表示部２５は、図１に示す双方向通信装置１３の送信する解析通知情報７を表示する。解析通知情報表示部２５としては、例えば、液晶ディスプレイ、有機若しくは無機のＥＬ（ｅｌｅｃｔｒｏｌｕｍｉｎｅｓｃｅｎｃｅ）ディスプレイを用いることができる。解析通知情報表示部２５が解析通知情報７を表示すれば、生体情報入力装置１１を装着する被検者は解析サーバ３１の解析結果を視認することができる。
【００６４】
生体情報入力装置１１は、図１に示す双方向通信装置１３の送信する制御情報２を表示する制御情報表示部２６をさらに備えることが好ましい。制御情報表示部２６は、例えば前述の解析通知情報表示部２５と同様のものを用いることができる。又、解析通知情報表示部２５と共通のものを用いてもよい。制御情報表示部２６が双方向通信装置１３の送信する制御情報２を表示するので、生体情報入力装置１１を装着している被検者は、どのような制御情報２を用いて生体情報測定部２８が生体情報１を測定しているかを視認することができる。なお、解析通知情報表示部２５又は制御情報表示部２６は、さらに、生体情報１を表示してもよい。又、端末装置１４Ａ、１４Ｂからのコメントを表示してもよい。
【００６５】
図３は、本実施形態に係る生体情報収集システムの第２例を示す構成図である。図３に示す生体情報収集システム９２は、図１に示す生体情報測定装置１１が３台備わり、中継装置２４がさらに備わっている。
【００６６】
図３に示す生体情報測定装置１１ａ、１１ｂ、１１ｎは、図１に示す生体情報測定装置１１と同様のものである。例えば、生体情報測定装置１１ｎは、制御情報２ｎに従って生体情報１ｎを測定し、生体情報１ｎをデータベースサーバ１２へ送信するものである。生体情報測定装置１１ａ、１１ｂは、生体情報測定装置１１ａ、１１ｂのそれぞれと双方向通信装置１３との間に中継装置２４が配置され、生体情報１ａ、１ｂを測定し、生体情報１ａ、１ｂを中継装置２４へ出力する。生体情報測定装置１１ａ、１１ｂは、それぞれ独自のＩＰアドレスを所有する。
【００６７】
中継装置２４は、生体情報入力装置１１ａ、１１ｂの生体情報１ａ、１ｂを共通の通信アドレスを用いて送信するものである。中継装置２４としては、ネットワーク上を流れるデータを他のネットワークに中継するルータを用いることができる。通信網５１が公衆網である場合、中継装置２４は、モデムを内蔵するダイアルアップルータを用いることが好ましい。中継装置２４は、双方向通信装置１３から制御情報２を受信し、それぞれのＩＰアドレスへ制御情報２を送信する。又、中継装置２４は、生体情報測定装置１１ａ、１１ｂの測定する生体情報１ａ、１ｂを、通信網５１を介してデータベースサーバ１２へ送信する。
【００６８】
中継装置２４は、表示部を備えることが好ましい。表示部としては、例えば、例えば、液晶ディスプレイ、有機若しくは無機のＥＬディスプレイを用いることができる。表示部は、例えば、生体情報測定装置１１ａ、１１ｂの出力するアラーム情報を表示する。又、図１に示す解析サーバ３１の送信する解析通知情報を表示する。表示部は、アラーム情報及び解析通知情報を表示してもよい。表示部は、さらに、生体情報測定装置１１ａ、１１ｂの制御情報を表示してもよい。
【００６９】
図１に示すデータベースサーバ１２は、生体情報１、制御情報２及び生体情報入力装置１１の通信アドレス３を、生体情報入力装置１１ごとの識別情報４に関連付けて記憶するものである。生体情報１とは、生体情報入力装置１１の測定する生体情報である。制御情報２は、生体情報入力装置１１の動作を制御する情報である。通信アドレス３は、生体情報入力装置１１の通信アドレスである。例えば、図２に示す送受信部２７の通信アドレスである。ここで、通信アドレスは、例えばＩＰアドレスである。又、ＩＰアドレスとの相互変換が可能なＤＮＳ（Ｄｉｇｉｔａｌ  Ｎｅｒｖｏｕｓ  Ｓｙｓｔｅｍ）であってもよい。又、ＩＰアドレスでない固有のアドレスであってもよい。関連付けは、例えば、識別情報４をヘッダとして、その後に、予め定められた順に記憶することで行うことができる。
【００７０】
図４は、データベースサーバの記憶する情報の第１例を示す表である。図４に示す表は、図３に示す生体情報入力装置１１ａ、１１ｂ、１１ｎが、それぞれ識別情報４ａ、４ｂ、４ｎを有する場合に、データベースサーバ１２の記憶する情報の一例を示す。生体情報１ａ、１ｂ、１ｎは、それぞれ、生体情報入力装置１１ａ、１１ｂ、１１ｎの測定する生体情報である。制御情報２ａ、２ｂ、２ｎは、それぞれ、生体情報入力装置１１ａ、１１ｂ、１１ｎの動作を制御する制御情報である。通信アドレス３ａ、３ｂ、３ｎは、それぞれ、生体情報入力装置１１ａ、１１ｂ、１１ｎの通信アドレスである。電話番号５ａ、５ｂ、５ｎは、それぞれ、生体情報入力装置１１ａ、１１ｂ、１１ｎの電話番号である。アラーム情報６ａ、６ｂ、６ｎは、生体情報入力装置１１ａ、１１ｂ、１１ｎから送信されたアラーム情報である。解析通知情報７ａ、７ｂ、７ｎは、それぞれ、解析サーバ３１が生体情報１ａ、１ｂ、１ｎを判定した結果を通知する解析通知情報である。通信アドレス８ａ、８ｂ、８ｎは、生体情報入力装置１１ａ、１１ｂ、１１ｎの生体情報１ａ、１ｂ、１ｎを読み出すことのできる端末装置の通信アドレスである。
【００７１】
図４に示す生体情報１ａ及び制御情報２ａは、識別情報４ａと対応して記憶されている。同様に、生体情報１ｂ及び制御情報２ｂは、識別情報４ｂと対応して記憶されている。同様に、生体情報１ｎ及び制御情報２ｎは、識別情報４ｎと対応して記憶されている。このように、生体情報１及び制御情報２は識別情報４ごとに対応して記憶されている。さらに、同一の識別情報４と対応する生体情報１と制御情報２が互いに対応して記憶されていてもよい。例えば、図４において、生体情報１ｎと制御情報２ｎが対応して記憶されていてもよい。
【００７２】
データベースサーバ１２の記憶する生体情報測定装置１１の通信アドレス３、生体情報測定装置１１の電話番号５、生体情報測定装置１１の送信するアラーム情報６、解析サーバの出力する解析通知情報７又は端末装置１４Ａ、１４Ｂの通信アドレス８の少なくともいずれかは、識別情報４と対応して記憶されていることが好ましい。例えば、図４において、通信アドレス３ｎ、電話番号５ｎ、アラーム情報６ｎ、解析通知情報７ｎ又は通信アドレス８ｎが識別情報４ｎと対応して記憶されていることが好ましい。さらに、データベースサーバ１２の記憶する生体情報測定装置１１の電話番号５、生体情報測定装置１１の送信するアラーム情報６、解析サーバの出力する解析通知情報７又は端末装置１４Ａ、１４Ｂの通信アドレス８のいずれかが互いに対応して記憶されていてもよい。例えば、図４において、電話番号５ｎと通信アドレス３ｎとが対応して記憶されていてもよい。
【００７３】
図１に示す生体情報入力装置１１が、図２に示す生体情報判定部２１とアラーム情報送信部２２とを備える場合、データベースサーバ１２は、図２に示すアラーム情報送信部２２の送信するアラーム情報６を生体情報入力装置１１の識別情報４に対応させてさらに記憶することが好ましい。例えば、図４において、アラーム情報６ｎを識別情報４ｎに対応させて記憶することが好ましい。
【００７４】
図１に示す通信網５１が公衆網である場合、データベースサーバ１２は、生体情報入力装置１１の電話番号５を生体情報入力装置１１の識別情報４に対応させてさらに記憶することが好ましい。例えば、図４において、生体情報入力装置の電話番号５ｎは、対応する識別情報４ｎに対応してデータベースサーバに記憶されていることが好ましい。又、図１に示す生体情報収集システム９１が端末装置１４Ａ、１４Ｂを備える場合、データベースサーバ１２は、端末装置１４Ａ、１４Ｂの通信アドレスを生体情報入力装置１１の識別情報に対応させてさらに記憶することが好ましい。例えば、図１において、端末装置１４Ａ、１４Ｂが生体情報入力装置１１の測定する生体情報１を読み出すことができるのであれば、図４において生体情報入力装置の識別情報４ｎに対応して記憶される端末装置の通信アドレス８ｎは端末装置１４Ａ及び端末装置１４Ｂの通信アドレスとなる。
【００７５】
図１に示すデータベースサーバ１２は、記憶している生体情報入力装置１１の制御情報２の更新時刻が所定時間内であるか否かを所定時間ごとに判定することが好ましい。所定時間は、一定時間でもよいが、管理者用端末装置３４から変更できることが好ましい。
【００７６】
図１に示すデータベースサーバ１２は、記憶している生体情報１の更新時刻が所定時間内であるか否かを定期的に判定することが好ましい。例えば、更新時刻が所定時間内である生体情報１を所定時間ごとに抽出することが好ましい。生体情報１だけでなく、制御情報２、通信アドレス３、電話番号５、アラーム情報６、解析通知情報７又は通信アドレス８の更新時刻が所定時間内であるか否かを所定時間ごとに判定してもよい。
【００７７】
図１に示す生体情報収集システム９１が中継装置２４をさらに備える場合、すなわち、図３に示す生体情報収集システム９２において、データベースサーバ１２は、中継装置２４の通信アドレスを複数の生体情報入力装置１１の識別情報４に対応させて記憶することが好ましい。例えば、図４に示す識別情報４ａ及び識別情報４ｂは、共通の通信アドレス３ａ及び共通の電話番号５ａと対応してデータベースサーバ１２に記憶されていることが好ましい。
【００７８】
図１に示す双方向通信装置１３は、データセンタ５３内のＬＡＮ５２と通信網５１とを通信接続する中継装置である。中継装置としては、例えば、ルータがある。通信網５１が公衆網であるときは、中継装置は、データ列と音声信号の相互変換を行なうモデムを備える。この場合、双方向通信装置１３としては、例えばダイアルアップルータを用いることができる。双方向通信装置１３は、複数から構成されていてもよい。例えば、通信網５１とＬＡＮ５２とを中継するものと、個人用の端末装置１４ＡとＬＡＮ５２とを中継するものと、病院用の端末装置１４ＢとＬＡＮ５２とを中継するものと、から構成されていてもよい。
【００７９】
双方向通信装置１３は、さらに、データベースサーバ１２の記憶する生体情報入力装置１１の制御情報２が更新されると、生体情報入力装置１１の制御情報２に対応する生体情報入力装置１１の識別情報４と同一の識別情報に対応する生体情報入力装置１１の通信アドレス３をデータベースサーバ１２から抽出する。例えば、図４において、制御情報２ｎが更新されると、識別情報４ｎに対応する通信アドレス３ｎを抽出する。
【００８０】
双方向通信装置１３は、データベースサーバ１２の記憶する制御情報２が更新されたことを、例えば、データベースサーバ１２が制御情報２が更新されたときに双方向通信装置１３に信号を出力することによって認識することができる。又、双方向通信装置１３がデータベースサーバ１２を参照し、データベースサーバ１２の記憶している制御情報２の更新時刻が所定時間内であることを判定することによって認識することができる。データベースサーバ１２は、さらに、制御情報２の更新時刻が所定時間内であることを判定し、所定時間内であると判定したことをトリガーとして双方向通信装置１３に信号を出力することが好ましい。
【００８１】
ここで、通信網５１が公衆網である場合、双方向通信装置１３は、データベースサーバ１２の記憶する制御情報２が更新されると、当該制御情報２に対応する生体情報入力装置１１の識別情報４と同一の識別情報に対応する生体情報入力装置１１の電話番号５をさらに抽出することが好ましい。例えば、図４において、制御情報２ｎが更新されると、識別情報４ｎに対応する電話番号５ｎをさらに抽出することが好ましい。
【００８２】
さらに、双方向通信装置１３は、生体情報入力装置１１の通信アドレス３を抽出すると、抽出する生体情報入力装置１１の通信アドレス３へ向けて通信網５１を介して制御情報２を送信する。このように、データベースサーバ１２に記憶されている制御情報２が更新されると、双方向通信装置１３は自動的に制御情報２を生体情報入力装置１１へ送信する。
【００８３】
ここで、通信網５１が公衆網である場合、双方向通信装置１３は、抽出する生体情報入力装置１１の電話番号をダイアルアップし、生体情報入力装置１１との回線を開通させ、更新された最新の制御情報２を、生体情報入力装置１１の通信アドレス３へ向けて送信する。例えば、図４において、制御情報２ｎが更新されると、識別情報４ｎに対応する電話番号５ｎとの回線を開通させ、更新後の制御情報２ｎを通信アドレス３ｎへ向けて送信する。このように、通信網５１が公衆網である場合であっても、双方向通信装置１３は、データベースサーバ１２に記憶されている制御情報２が更新されると、自動的に制御情報２を生体情報入力装置１１へ送信する。
【００８４】
図１に示す生体情報収集システム９１が端末装置１４Ａ、１４Ｂを備える場合、双方向通信装置１３は、データベースサーバ１２に記憶されている制御情報２が更新されると、当該制御情報２に対応する生体情報入力装置１１の識別情報と同一の識別情報に対応する端末装置１４Ａ、１４Ｂの通信アドレスをさらに抽出する。更新された最新の制御情報２を、抽出する端末装置１４Ａ、１４Ｂの通信アドレスへ向けてさらに送信することが好ましい。例えば、図４において、制御情報２ｎが更新されると、識別情報４ｎに対応する通信アドレス８ｎへ向けて制御情報２ｎを送信する。通信アドレス８ｎが端末装置１４Ａ及び端末装置１４Ｂの通信アドレスであれば、制御情報２ｎを端末装置１４Ａ及び端末装置１４Ｂへ送信する。このように、データベースサーバ１２に記憶されている制御情報２を更新すると、更新後の制御情報２を端末装置１４Ａ、１４Ｂへ自動的に送信するので、生体情報入力装置１１を携帯する被検者がどこにいる場合でも最新の制御情報を端末装置１４Ａ、１４Ｂの所有者に迅速に通知することができる。
【００８５】
図１に示す生体情報収集システム９１において、データベースサーバ１２が生体情報１の更新時刻が所定時間内でないと判定すると、双方向通信装置１３は、生体情報入力装置１１の通信アドレスへ向けて生体情報入力装置１１の制御情報２を通信網５１を介して送信することが好ましい。この場合、制御情報２は、生体情報入力装置１１が最新の生体情報１を通信網５１を介してデータベースサーバ１２へ送信する旨を指示する情報となる。この制御情報２を生体情報入力装置１１に送信し、生体情報入力装置１１に最新の生体情報１を通信網５１を介してデータベースサーバ１２へ送信させる。データベースサーバ１２は、最新の生体情報１を受信し、受信した生体情報１を、送信元の生体情報入力装置１１の識別情報４と対応させて記憶する。このように、データベースサーバ１２が所定時間内に測定された生体情報１が記憶されているか否かを判定し、双方向通信装置１３が生体情報入力装置１１から取得した最新の生体情報１をデータベースサーバ１２に記憶させるので、生体情報入力装置１１からデータベースサーバ１２への送信に失敗した場合でも、最新の生体情報１を生体情報入力装置１１から取得することができる。
【００８６】
図１に示す生体情報収集システム９１において、生体情報入力装置１１が図２に示すアラーム情報送信部２２を備える場合、双方向通信装置１３は、データベースサーバ１２がアラーム情報送信部２２の送信するアラーム情報６を記憶すると、当該アラーム情報６を送信する生体情報入力装置１１の識別情報４に対応する端末装置１４Ａ、１４Ｂの通信アドレスへ向けて通信網５１を介してさらに送信することが好ましい。例えば、図４に示すアラーム情報６ｎが更新されると、双方向通信装置１３は、図４に示す識別情報４ｎに対応する通信アドレス８ｎを抽出し、通信アドレス８ｎへ向けてアラーム情報６ｎを送信する。このように、データベースサーバ１２がアラーム情報６を通信網５１を介して受信すると、双方向通信装置１３がアラーム情報６を端末装置１４Ａ、１４Ｂに送信するので、異常な数値が測定されたことを、端末装置１４Ａ、１４Ｂへ迅速に通知することができる。
【００８７】
このように、アラーム情報６を用いて緊急を要する旨の通知がデータベースサーバ１２の設置されているデータセンタ５３へ行われた場合に、データセンタ５３から自動的にその旨を病院用の端末装置１４Ｂへ送信することができる。端末装置１４Ｂを使用する医師等の専門家へ、被検者が緊急を要する状態であることを迅速に通知することができる。端末装置１４Ｂを使用する専門家はデータベースサーバ１２の制御情報を更新することで、診断や指示をリアルタイムで個人用の端末装置１４Ａ及び生体情報入力装置１１へ送信することができる。このとき、端末装置１４Ｂを使用する専門家は、データベースサーバ１２に記憶されている情報を読み出すアプリケーションから個人用の端末装置１４Ａへ電子メールを送信する機能を選択し、選択により表示されたウィンドウにコメントを入力して送信することもできる。入力されたコメントは、データベースサーバ１２に識別情報と関連付けて記憶し、コメントを閲覧することの許可された通信アドレスを所有する端末装置のみ閲覧することができる。
【００８８】
又、緊急を要する旨のアラーム情報６がデータセンタ５３へ通知された場合に、データセンタ５３がアラーム情報６を個人用の端末装置１４Ａへ自動で送信することができる。個人用の端末装置１４Ａは、生体情報入力装置１１からアラーム情報６が送信されたことを表示する。これにより、端末装置１４Ａを所持する被験者の家族などへ、生体情報入力装置１１を付帯している被検者が緊急を要する状態であることを通知することができる。
【００８９】
図１に示す生体情報収集システム９１が解析サーバ３１を備える場合、双方向通信装置１３は、解析サーバ３１の判定結果を通知する解析通知情報７を、端末装置１４の通信アドレス８へ向けてさらに送信することが好ましい。ここで、端末装置１４の通信アドレス８とは、解析サーバ３１の解析する生体情報１に対応する端末装置１４の通信アドレス８である。例えば、図４で説明した生体情報１ｎに対応する識別情報４ｎと同一の識別情報に対応する端末装置の通信アドレス８ｎである。通信アドレス８ｎとは、例えば、図１に示す個人用の端末装置１４Ａ及び病院用の端末装置１４Ｂである。
【００９０】
ここで、解析通知情報７は、例えば、図１に示す解析サーバ３１が数値範囲外であると判定した旨である。又、解析サーバ３１が数値範囲内であると判定した旨であってもよい。解析通知情報７が、予め定められた数値範囲内であるか又は予め定められた数値範囲外であるかであれば、生体情報１が正常な値であるか異常な値であるかを通知することができる。このように、解析サーバ３１が生体情報１を自動で解析し、データベースサーバ１２に記憶されている生体情報１が正常な値であるか異常な値であるかを迅速に端末装置１４へ通知することができる。
【００９１】
図１に示す生体情報収集システム９１が解析サーバ３１を備える場合、双方向通信装置１３は、さらに、解析サーバ３１の判定結果を通知する解析通知情報７を、生体情報入力装置１１の通信アドレス３へ向けてさらに送信することが好ましい。ここで、生体情報入力装置１１の通信アドレス３とは、解析サーバ３１の解析する生体情報１に対応する生体情報入力装置１１の通信アドレスである。例えば、図４で説明した生体情報１ｎに対応する識別情報４ｎと同一の識別情報に対応する生体情報入力装置の通信アドレス３ｎである。
【００９２】
図１に示す生体情報収集システム９１において、中継装置を備える場合、すなわち前述の図３に示す生体情報収集システム９２の場合、双方向通信装置１３は、中継装置２４の通信アドレス３へ向けて通信網５１を介して制御情報２ａ、２ｂを送信することが好ましい。中継装置２４の通信アドレス３は生体情報入力装置１１ａ、１１ｂの共通の通信アドレスであり、図４では、識別情報４ａ、４ｂ共に通信アドレス３ａと示されている。中継装置２４は複数の生体情報入力装置１１ａ、１１ｂのそれぞれへ制御情報２ａ、２ｂを分配する。このように、複数の生体情報入力装置１１の通信アドレスを共通とすることで、同一の被検者が複数の生体情報入力装置１１ａ、１１ｂを装着する場合であっても、共通の通信アドレス３ａへ向けて制御情報２ａ、２ｂを送信することができる。
【００９３】
図１に示す生体情報収集システム９１において、双方向通信装置１３は、送受信する情報に応じて異なる通信機能を用いることが好ましい。例えば、データベースサーバ１２が、端末装置１４Ａの通信アドレスとして、携帯電話への通信アドレス及びパソコンの通信アドレスを記憶している場合、双方向通信装置１３は、例えば、アラーム情報６を端末装置１４Ａへ送信する場合は携帯電話の通信アドレスへ送信し、制御情報２を端末装置１４Ａへ送信する場合はパソコンの通信アドレスへ送信することができる。双方向通信装置１３が送信する情報に応じて異なる通信機能を用いれば、緊急性の高い情報を携帯することのできる端末装置へ送信して迅速に通知し、生体情報１や緊急時の対処方法、生体情報の分析結果のグラフなどの詳細な情報をパソコンへ送信することができる。
【００９４】
図５は、本実施形態に係る生体情報収集システムの第３例を示す構成図である。図５に示す生体情報収集システム９３は、図１に示す生体情報入力装置１１が６台であり、生体情報入力装置１１ａ−１１ｆとして示されている。又、図１に示す端末装置１４Ａが３台備わり、端末装置１４Ａ１−１４Ａ３として示されている。又、図１に示す病院に配置される端末装置１４Ｂが２台備わり、端末装置１４Ｂ１、１４Ｂ２として示されている。又、図１に示す双方向通信装置１３は、生体情報入力装置１１ａ−１１ｆと通信網を介して接続される双方向通信装置１３ａと、端末装置１４Ａ１−１４Ａ３と通信網を介して接続される双方向通信装置１３ｂと、端末装置１４Ｂ１−１４Ｂ２と通信網を介して接続される双方向通信装置１３ｃと、で構成されている。さらに、生体情報収集システム９３は、図１に示すデータベースサーバ１２が複数のデータベースサーバ１２ａ、１２ｂから構成されている。さらに、複数のデータベースサーバ１２ａ、１２ｂのそれぞれの通信アドレスと生体情報入力装置１１ａ−１１ｆの通信アドレス又は識別情報とを対応させて記憶する管理サーバ３２をさらに備える。
【００９５】
図６は、管理サーバの記憶する情報の一例を示す表である。図６に示す表は、図５に示す生体情報収集システム９３に備わる管理サーバ３２の記憶する情報の一例である。識別情報４ａ−４ｆは、生体情報入力装置１１ａ−１１ｆのそれぞれの識別情報である。通信アドレス３ａ−３ｆは、生体情報入力装置１１ａ−１１ｆのそれぞれの通信アドレスである。通信アドレス９ａ、９ｂは、それぞれ、データベースサーバ１２ａ、１２ｂのそれぞれの通信アドレスである。識別情報４ａ−４ｆのそれぞれは、通信アドレス９ａ、９ｂのいずれかと対応している。又、通信アドレス３ａ−３ｆのそれぞれは、通信アドレス９ａ、９ｂのいずれかと対応している。
【００９６】
図５に示す生体情報収集システム９３において、双方向通信装置１３ａは、生体情報入力装置１１ｆの送信する生体情報を通信網を介して受信すると、管理サーバ３２を参照する。そして、図６に示す管理サーバ３２の記憶する情報から、受信した生体情報入力装置１１ｆの通信アドレス３ｆに対応するデータベースサーバの通信アドレス９ｂを抽出し、抽出した通信アドレス９ｂのデータベースサーバ１２ｂに受信した生体情報１ｆを記憶させる。ここで、通信アドレス３ｆでなく識別情報４ｆであってもよい。又、管理サーバ３２は、生体情報入力装置１１ｆの送信する生体情報だけでなく、生体情報入力装置１１ａ−１１ｆのいずれについても同様にデータベースサーバの通信アドレス９を抽出し、抽出した通信アドレスのデータベースサーバに受信した生体情報を記憶させる。このように、管理サーバ３２を設けることで、図１に示す生体情報収集システム９１及び図３に示す生体情報収集システム９２において、データベースサーバ１２を複数に分散することができる。これにより、データベースサーバ１２の増設を容易にすることができる。なお、管理サーバ３２は、入力された識別情報に対応するデータベースサーバの通信アドレス９を抽出し、抽出したデータベースサーバの通信アドレス９へ受信した生体情報１を記憶させてもよい。
【００９７】
図７は、本実施形態に係る生体情報収集システムの第４例を示す構成図である。図７に示す生体情報収集システム９４は、図５に示す生体情報収集システム９３に備わる管理サーバ３２の代わりに解析サーバ３１を備える。又、生体情報収集システム９４は、データベースサーバ１２が１つのみ備わる。又、生体情報入力装置１１ａ、１１ｂは被検者８１ａの生体情報１ａ、１ｂを測定し、生体情報入力装置１１ｃ、１１ｄは被検者８１ｂの生体情報１ｃ、１ｄを測定し、生体情報入力装置１１ｅ、１１ｆは被検者８１ｃの生体情報１ｅ、１ｆを測定する。又、端末装置１４Ａ１は被検者８１ａの使用する端末であり、端末装置１４Ａ２は被検者８１ｂの使用する端末であり、端末装置１４Ａ３は被検者８１ｃの使用する端末とする。
【００９８】
解析サーバ３１は、データベースサーバ１２に記憶されている生体情報１ｆが予め定められた数値範囲外であるか否かを判定するものである。例えば、解析サーバ３１は、データベースサーバ１２を参照し、あらかじめ定められた時間内に記憶された生体情報１ｆを抽出し、抽出した生体情報１ｆが予め定められた数値範囲外であるか否かを判定する。生体情報１ｆは、生体情報入力装置１１ｆの測定した生体情報である。そして、解析サーバ３１は、生体情報１ｆの判定結果である解析通知情報７ｆを、双方向通信装置１３ｂ又は双方向通信装置１３ｃの少なくともいずれかへ出力する。予め定められた数値範囲は、生体情報の測定値が正常である範囲とすることができる。この場合、解析通知情報は、解析サーバ３１が数値範囲外であると判定した旨であることが好ましい。これにより、解析通知情報は異常な値の生体情報が測定されたことを通知することができる。解析通知情報は、さらに、解析サーバ３１が数値範囲内であると判定した旨であってもよい。これにより、正常な生体情報が測定されているときはその旨を通知し、異常があればその旨を通知することができる。
【００９９】
なお、解析サーバ３１は、データベースサーバ１２に記憶されている生体情報１ｆが予め定められた数値範囲内であるか否かを判定するものであってもよい。この場合、予め定められた数値範囲が生体情報の測定値が正常である範囲であれば、解析サーバ３１は、生体情報１ｆの測定値が正常であることを判定することができる。このため、解析通知情報は、解析サーバ３１が数値範囲外であると判定した旨であることが好ましい。解析通知情報は異常な値の生体情報１ｆが測定されたことを通知することができる。さらに、解析サーバ３１が数値範囲外であると判定した旨であってもよい。これにより、正常な生体情報が測定されているときはその旨を通知し、異常があればその旨を通知することができる。
【０１００】
ここで、解析サーバ３１は、例えば、定期的に生体情報１ｆが予め定められた数値範囲外であるか否かを判定する。又、データベースサーバ１２に記憶されている生体情報１ｆが更新されたことをトリガーとして、更新後の最新の生体情報１ｆが予め定められた数値範囲外であるか否かを判定してもよい。又、データベースサーバ１２に記憶されているアラーム信号が更新されたことをトリガーとして、更新後の最新の生体情報１ｆが予め定められた数値範囲外であるか否かを判定してもよい。アラーム信号は、生体情報入力装置１１ｆの送信するアラーム信号である。データベースサーバ１２に記憶されている生体情報１ｆ又はアラーム信号６が更新されたことは、前述の双方向通信装置１３で述べた制御情報２が更新されたことを認識する構成と同様の構成とすることができる。
【０１０１】
このとき、双方向通信装置１３ｂ、１３ｃは、解析通知情報７ｆに対応する端末装置の通信アドレスをデータベースサーバ１２から抽出し、抽出した通信アドレスへ向けて通信網を介して解析通知情報７ｆを送信する。図７では、一例として、双方向通信装置１３ｂは、生体情報入力装置１１ｆを装着する被検者８１ｃの所有する端末装置１４Ａ３へ解析通知情報７ｆを送信している。又、双方向通信装置１３ｃは、被検者８１ｃの担当医の使用する端末装置１４Ｂ２へ解析通知情報７ｆを送信している。なお、解析サーバ３１は、データベースサーバ１２及び双方向通信装置１３とＬＡＮ５２を介して接続されているが、データベースサーバ１２及び双方向通信装置１３と直接接続されていてもよい。又、図７では、生体情報１ｆについてのみ説明したがこれに限定されない。解析サーバ３１は、生体情報１ａ−１ｆのすべてについて判定することが好ましい。
【０１０２】
図８は、本実施形態に係る生体情報収集システムの第５例を示す構成図である。図８に示す生体情報収集システム９５は、図７に示す生体情報収集システム９４に備わる解析サーバ３１の代わりに認証サーバ３３を備える。又、生体情報収集システム９５において、データベースサーバ１２は、さらに、パスワードを識別情報４に対応させて記憶している。
【０１０３】
認証サーバ３３は、生体情報入力装置１１ｆの送信する生体情報１ｆを双方向通信装置１３ａが通信網を介して受信すると、識別情報４ｆとパスワード６３ｆを生体情報入力装置１１ｆへ問い合わせる。例えば、生体情報入力装置１１ｆに識別情報４ｆとパスワード６３ｆを入力するよう表示させる制御情報２ｆを送信する。そして、認証サーバ３３は、生体情報入力装置１１ｆの入力した識別情報４ｆ及びパスワード６３ｆを受信すると、受信した識別情報４ｆ及びパスワード６３ｆの組み合わせがデータベースサーバ１２に記憶されているか否かを照合する。照合の結果、生体情報入力装置１１ｆから受信した識別情報４ｆ及びパスワード６３ｆの組み合わせが互いに対応してデータベースサーバ１２に記憶されていれば、生体情報認証として判定する。そして、認証サーバ３３は、生体情報認証と判定すると、双方向通信装置１３ａにデータベースサーバ１２と生体情報入力装置１１ｆとの間での通信を開始させ、受信した生体情報１ｆをデータベースサーバ１２に記憶させる。
【０１０４】
このように、認証サーバ３３が双方向通信装置１３ａの受信した生体情報１ｆの送信元の通信アドレス３ｆと関連付けて記憶されている識別情報４ｆとパスワード６３ｆが一致することを確認した上で、データベースサーバ１２が生体情報１ｆを記憶する。これにより、識別情報識別情報４ｆ及びパスワード６３ｆを知る被検者から送信された生体情報１ｆ以外の生体情報１ａ−１ｅが生体情報１ｆとしてデータベースサーバ１２に記憶されるのを防ぐことができる。なお、図８では、生体情報１ｆについてのみ説明したがこれに限定されない。認証サーバ３３は、生体情報１ａ−１ｆのすべてについて判定することが好ましい。
【０１０５】
図１に示す生体情報収集システム９１は、端末装置１４Ａ、１４Ｂを備えることが好ましい。端末装置１４Ａ、１４Ｂは、データベースサーバ１２に記憶されている生体情報１及び制御情報２を通信網５１を介して読み出して表示し、データベースサーバ１２に記憶されている制御情報２を更新する。端末装置１４Ａ、１４Ｂとしては、例えば、パソコンを用いることができる。又、携帯情報端末や携帯電話でもよい。端末装置１４は、電子メール、パソコン通信、ＬＡＮ、広域情報通信網（ＷＡＮ）、インターネット、ポケットベル、携帯電話、ファクシミリ又は固定電話の少なくとも２以上の通信機能を備えることが好ましい。ここで、パソコン通信は、パソコンやその他の機器を公衆網を使ってサービス業者の通信センターに設置されたコンピュータと接続して情報のやりとりをする通信方法である。
【０１０６】
さらに、生体情報収集システム９１は、複数の端末装置１４Ａ、１４Ｂを備えることが好ましい。例えば、端末装置１４Ａは生体情報入力装置１１を装着する被検者が使用する個人用端末であり、端末装置１４Ｂは病院に配置されて医師が使用する病院用端末であることが好ましい。さらに、データベースサーバ１２に記憶されている生体情報１及び制御情報２をＬＡＮ５２を介して読み出して表示し、データベースサーバ１２に記憶されている制御情報２を更新する管理者用端末装置３４が備わっていてもよい。
【０１０７】
図９は、データベースサーバの記憶する情報の第２例を示す表である。図９に示す表は、図８に示す生体情報収集システム９５においてデータベースサーバ１２が記憶する情報の一例を示す。通信アドレス８Ａ１は端末装置１４Ａ１の通信アドレス、通信アドレス８Ａ２は端末装置１４Ａ２の通信アドレス、通信アドレス８Ａ３は端末装置１４Ａ３の通信アドレス、通信アドレス８Ｂ１は端末装置１４Ｂ１の通信アドレス、通信アドレス８Ｂ２は端末装置１４Ｂ２の通信アドレス、通信アドレス６４は管理者用端末装置３４の通信アドレスを示す。それぞれの通信アドレスは、生体情報１、制御情報２、解析通知情報７、生体情報入力装置の通信アドレス３に対応して記憶されている。
【０１０８】
図８に示すデータベースサーバ１２が図９に示す表を記憶している場合、生体情報収集システム９５に備わる端末装置の通信アドレスからアクセスされると、データベースサーバ１２は、図９に示す表を参照し、アクセスされた通信アドレスに対応する情報のみを、アクセスしてきた端末装置に対して提供する。例えば、通信アドレス８Ａ３からアクセスされた場合、データベースサーバ１２は、生体情報入力装置１１ｆの通信アドレス３ｆを通信アドレス８Ａ３の端末装置１４Ａ３へ提供し、更新を許可する。一方、通信アドレス８Ｂ２の端末装置１４Ｂ２へは生体情報入力装置１１ｆの通信アドレス３ｆを提供せず、端末装置１４Ｂ２は通信アドレス３ｆを表示することはない。図８に示すデータベースサーバ１２は、端末装置ごとに読み出すことを許可する情報を制限してもよい。さらに、端末装置ごとに更新する情報を制限してもよい。
【０１０９】
以上、図８及び図９で説明したように、図１に示す端末装置１４Ａ、１４Ｂは、それぞれ、読み出せる情報が端末装置１４Ａ、１４Ｂの通信アドレスごとに異なることが好ましい。読み出せる情報が端末装置１４Ａ、１４Ｂの通信アドレスごとに異なれば、端末装置１４Ａ、１４Ｂを使用する人に応じて閲覧することのできる情報を制限したり、更新することのできる情報を制限したりすることができる。
【０１１０】
本実施形態に係る生体情報収集システム９１の動作の一例について図１０を用いて説明する。図１０は、本実施形態に係る生体情報収集システムの第１例を示す概略図である。図１０では、簡単のため、生体情報入力装置１１、データベースサーバ１２、双方向通信装置１３、解析サーバ３１、管理者用端末装置３４及び端末装置１４Ｂを除いて省略した。
【０１１１】
生体情報入力装置１１はセンシングした測定結果である生体情報１を通信網５１経由でデータセンタ５３のＬＡＮ５２に通信接続されているデータベースサーバ１２に保存する。一方、医者は端末装置１４Ｂである遠隔ツールを使用して通信網５１でデータベースサーバ１２に保存されている生体情報１を調べると同時に、生体情報入力装置１１に備わるインシュリン注射器の注入時間が最適な値になるようにデータベースサーバ１２に記憶されている制御情報２を変更する。双方向通信装置１３は、更新された制御情報２を生体情報入力装置１１へ送信し、生体情報入力装置１１に備わるインシュリン注射器の注入時間が最適な値に設定する。
【０１１２】
解析サーバ３１がデータベースサーバ１２に記憶されている生体情報１を調べ、異常を検出した場合には、双方向通信装置１３が医者用閲覧ツールである端末装置１４Ｂにそのことを解析通知情報７を用いて通知し、医者は端末装置１４Ｂである医者用閲覧ツールを使用してインシュリン注入器の注入量・注入時間が最適な値になるようにデータベースサーバ１２に記憶されている制御情報２を変更し、通信網５１経由で制御情報２を生体情報入力装置１１に送信し、生体情報入力装置１１に備わるインシュリン注入器に対して設定する。
【０１１３】
誤作動を防止するために、データセンタ５３に設置されているデータベースサーバ１２から定期的に制御情報２が生体情報入力装置１１に送られてこない場合には、バイブレータ、ブザー又は図２で説明した制御情報表示部等の出力手段を使って生体情報入力装置１１を装着するユーザに異常を通知することとしてもよい。
【０１１４】
解析サーバ３１は、生体情報１として血圧の異常を判定し、判定結果に応じて、データベースサーバ１２に記憶されている制御情報２を更新して降圧剤注入器を制御してもよい。双方向通信装置１３は、更新された制御情報２を生体情報入力装置１１へ送信する。そして、生体情報入力装置１１は制御情報２を受信し、制御情報２にしたがって降圧剤注入器を動作させる。
【０１１５】
医者用閲覧ツールである端末装置１４Ｂもしくは自動解析ツールである解析サーバ３１が、生体情報入力装置１１を装着するユーザ固有の番号である識別情報を指定すると、双方向通信装置１３は、データベースサーバ１２に記憶されている識別情報から電話番号とＩＰアドレスに変換する。ここで、双方向通信装置１３は生体情報入力装置１１の電話番号をダイアルアップしてもよい。双方向通信装置１３は、例えば、生体情報入力装置１１との間で通信接続を確立し、双方向通信装置１３は抽出したＩＰアドレスをデータベースサーバ１２に通知し、データベースサーバ１２が生体情報入力装置１１に対してＩＰアドレスを指定して直接通信する。
【０１１６】
生体情報入力装置１１からデータセンタ５３に設置されるデータベースサーバ１２に測定結果を送信する場合には、生体情報入力装置１１が血糖値を測定する血糖センサ及びインシュリン注入器を備える場合、生体情報入力装置１１は、保存されている双方向通信装置１３の電話番号をダイアルアップする。回線が接続された後、データベースサーバ１２のＩＰアドレスを指定して、ＩＰ通信によって生体情報入力装置１１の測定データである血糖値をデータベースサーバ１２に送信し、記録する。
【０１１７】
以上説明したように、本実施形態に係る生体情報収集システム９１−９５において、データベースサーバ１２の設置されるデータセンタ５３は、単に生体情報入力装置１１からの情報を収集するだけでなく、（１）被検者によってアラームスイッチを押下される等の緊急性が高いことを通知するアラーム情報６を受信する場合には病院用の端末装置１４Ｂに対してそのことを自動で通知するので、病院用の端末装置１４Ｂを使用する医者はリアルタイムで診断する事が可能である。さらに、（２）（１）でアラーム情報６をデータベースサーバ１２が通知されると、解析サーバ３１がアラーム情報６を送信する生体情報入力装置１１の測定する生体情報１が正常な値であるか異常な値であるかの判断を下し、問題があるか否かを被検者のもつ生体情報入力装置１１もしくは中継装置のディスプレイ等にその事を表示することができる。さらに、（３）医者や管理者が必要と判断すれば、病院用の端末装置１４Ｂ又は図７に示した管理者用端末装置３４によって生体情報入力装置１１の測定指示となる制御情報２をデータベースサーバ１２に入力し、測定済みの生体情報１をデータセンタ５３に設置されているデータベースサーバ１２へ送信するよう双方向通信装置１３及び生体情報入力装置１１に対して制御情報２を用いて送信指示を発行することが可能である等の特徴がある。さらに、医者の使用する端末から患者へ直接アドバイスが送信されるため、患者へ提供する情報が錯綜するような自体を回避することができる。
【産業上の利用可能性】
【０１１８】
本発明は、遠隔地に記憶されている情報を更新すると、指定した通信アドレスへ更新された情報を自動で送信することができるので、コンピュータのデータが不正にアクセスされた場合のセキュリティサービスとしても利用できる。
【図面の簡単な説明】
【０１１９】
【図１】本実施形態に係る生体情報収集システムの第１例を示す構成図である。
【図２】生体情報入力装置の一例を示す構成図である。
【図３】本実施形態に係る生体情報収集システムの第２例を示す構成図である。
【図４】データベースサーバの記憶する情報の第１例を示す表である。
【図５】本実施形態に係る生体情報収集システムの第３例を示す構成図である。
【図６】管理サーバの記憶する情報の一例を示す表である。
【図７】本実施形態に係る生体情報収集システムの第４例を示す構成図である。
【図８】本実施形態に係る生体情報収集システムの第５例を示す構成図である。
【図９】データベースサーバの記憶する情報の第２例を示す表である。
【図１０】本実施形態に係る生体情報収集システムの第１例を示す概略図である。
【符号の説明】
【０１２０】
１  生体情報
２  制御情報
３  生体情報入力装置の通信アドレス
４  生体情報入力装置の識別情報
５  生体情報入力装置の電話番号
６  アラーム情報
７  解析通知情報
８  端末装置の通信アドレス
９  データベースサーバの通信アドレス
１１  生体情報入力装置
１２、１２ａ、１２ｂ、１２ｎ  データベースサーバ
１３  双方向通信装置
１４Ａ、１４Ｂ  端末装置
２１  生体情報判定部
２２  アラーム情報送信部
２３  アラームスイッチ
２４  中継装置
２５  解析通知情報表示部
２６  制御情報表示部
２７  送受信部
２８  生体情報測定部
２９  識別情報及びパスワード入力部
３１  解析サーバ
３２  管理サーバ
３３  認証サーバ
３４  管理者用端末装置
５１  通信網
５２  ＬＡＮ
５３  データセンタ
６１  中継装置の通信アドレス
６３  パスワード
６４  管理者用端末装置の通信アドレス
８１ａ、８１ｂ、８１ｃ  被検者
９１、９２、９２、９４、９５  生体情報収集システム
【図１】
2007282701.tif 000003
【図２】
2007282701.tif 000004
【図３】
2007282701.tif 000005
【図４】
2007282701.tif 000006
【図５】
2007282701.tif 000007
【図６】
2007282701.tif 000008
【図７】
2007282701.tif 000009
【図８】
2007282701.tif 000010
【図９】
2007282701.tif 000011
【図１０】
2007282701.tif 000012